(57)【要約】【課題】筐体の剛性不足を抑制しつつ、幅の異なる複数種類の媒体が第１導入口から導入される際に幅の広い媒体と幅の狭い媒体とに搬送速度差が発生することを抑制できる画像読取装置を提供する。【解決手段】第１搬送部４２は、幅方向の一端側、かつ経路Ｐ２の内側に位置する第１駆動ローラ１１１と、第１駆動ローラ１１１より幅方向の中央側、かつ経路Ｐ２の外側に位置する第２駆動ローラ１２１、１２２と、第１駆動ローラ１１１と対向する第１従動ローラ１１５と、第２駆動ローラ１２１、１２２と対向する第２従動ローラ１２５、１２６と、第１従動ローラ１１５を第１付勢力Ｆ１で第１駆動ローラ１１１に向けて付勢する第１付勢部材１１８、１１９と、第２従動ローラ１２５、１２６を第１付勢力Ｆ１より大きい第２付勢力Ｆ２で第２駆動ローラ１２１、１２２に向けて付勢する第２付勢部材１２８、１２９とを有する。【選択図】図８
2015048161.tif 000002
【特許請求の範囲】
【請求項１】
第１導入口と、前記第１導入口の幅方向の一端側に位置し、かつ前記幅方向の長さが前記第１導入口より小さい第２導入口と、前記第１導入口及び前記第２導入口に連通する排出口とを有する筐体と、
前記第１導入口から導入される媒体を前記幅方向の中央基準で位置決めする規制部と、
前記筐体に設けられ、前記第１導入口と前記排出口とを繋ぎ、屈曲部分を有する第１ガイド部と、
前記筐体に設けられ、前記第２導入口と、前記第１ガイド部の前記屈曲部分近傍に位置する合流位置とを直線状に繋ぐ第２ガイド部と、
前記筐体内に設けられ、前記合流位置より前記排出口側に位置し、前記合流位置を通過した媒体の画像を読み取る読取部と、
前記筐体に設けられ、前記第１ガイド部及び前記第２ガイド部に案内される媒体を前記排出口まで搬送する搬送部とを備え、
前記搬送部は、前記合流位置と前記排出口との間に位置し、前記合流位置を通過する媒体を前記排出口に向けて搬送する第１搬送部を有し、
前記第１搬送部は、前記幅方向の一端側、かつ前記第２導入口から前記排出口までの経路の内側に位置し、回転駆動される第１駆動ローラと、
前記第１駆動ローラより前記幅方向の中央側、かつ前記経路の外側に位置し、回転駆動される第２駆動ローラと、
前記第１ガイド部に案内される媒体を挟持可能に前記第１駆動ローラと対向する第１従動ローラと、
前記第１ガイド部に案内される媒体を挟持可能に前記第２駆動ローラと対向する第２従動ローラと、
前記第１従動ローラを第１付勢力で前記第１駆動ローラに向けて付勢する第１付勢部材と、
前記第２従動ローラを前記第１付勢力より大きい第２付勢力で前記第２駆動ローラに向けて付勢する第２付勢部材とを有していることを特徴とする画像読取装置。
【請求項２】
前記第１搬送部は、前記読取部と前記排出口との間に位置し、
前記搬送部は、前記合流位置と前記読取部との間に位置し、前記合流位置を通過する媒体を前記排出口に向けて搬送する第２搬送部をさらに有し、
前記第２搬送部は、前記第１駆動ローラより前記幅方向の中央側、かつ前記経路の外側に位置し、回転駆動される第３駆動ローラと、
前記第１ガイド部に案内される媒体を挟持可能に前記第３駆動ローラと対向する第３従動ローラと、
前記第３従動ローラを前記第２付勢力と等しい第３付勢力で前記第３駆動ローラに向けて付勢する第３付勢部材とを有している請求項１記載の画像読取装置。
【請求項３】
前記第１搬送部は、前記幅方向の他端側に位置し、回転駆動される第４駆動ローラと、
前記第１ガイド部に案内される媒体を挟持可能に前記第４駆動ローラと対向する第４従動ローラと、
前記第４従動ローラを前記第１付勢力と等しい第４付勢力で前記第４駆動ローラに向けて付勢する第４付勢部材とをさらに有している請求項１又は２記載の画像読取装置。
【請求項４】
前記第２付勢力は、前記第１付勢力の１．２倍以上である請求項１乃至３のいずれか１項記載の画像読取装置。
【請求項５】
前記第２付勢力は、前記第１付勢力の１．８倍以下である請求項４記載の画像読取装置。
【請求項６】
前記筐体は、第１筐体と、前記排出口の近傍において前記幅方向と平行に延びる開閉軸心周りで開閉可能に前記第１筐体を支持するとともに、前記第２ガイド部が設けられた第２筐体とを有し、
前記第２導入口は、前記第２筐体に形成され、
前記第１導入口、前記第１ガイド部及び前記排出口は、前記第２筐体と、閉じた状態の前記第１筐体とにおける互いに対向する対向面によって形成され、
前記第１駆動ローラ及び前記第２駆動ローラは、前記第２筐体に配され、
前記第１従動ローラ、前記第２従動ローラ、前記第１付勢部材及び前記第２付勢部材は、前記第１筐体に配されている請求項１乃至５のいずれか１項記載の画像読取装置。
【発明の詳細な説明】
【技術分野】
【０００１】
本発明は画像読取装置に関する。
【背景技術】
【０００２】
特許文献１に従来の画像読取装置の例が開示されている。この画像読取装置は、筐体と第１ガイド部と第２ガイド部と読取部と搬送部とを備えている。筐体は、第１導入口と第２導入口と排出口とを有している。第２導入口は、第１導入口の幅方向の一端側に位置し、かつ幅方向の長さが第１導入口より小さい。排出口は、第１導入口及び第２導入口に連通している。第１ガイド部は、筐体に設けられている。第１ガイド部は、第１導入口と排出口とを繋ぎ、屈曲部分を有している。第２ガイド部は、筐体に設けられている。第２ガイド部は、第２導入口と、第１ガイド部の屈曲部分近傍に位置する合流位置とを直線状に繋いでいる。読取部は、筐体内に設けられている。読取部は、合流位置より排出口側に位置している。搬送部は、筐体に設けられている。
【０００３】
より詳しくは、搬送部は、第１搬送部を有している。第１搬送部は、合流位置と排出口との間に位置している。第１搬送部は、第１駆動ローラと第２駆動ローラと第１従動ローラと第２従動ローラとを有している。第１駆動ローラは、幅方向の一端側、かつ第２導入口から排出口までの経路の内側に位置し、回転駆動される。第２駆動ローラは、第１駆動ローラより幅方向の中央側、かつ経路の外側に位置し、回転駆動される。第１従動ローラは、第１ガイド部に案内される媒体を挟持可能に第１駆動ローラと対向している。第２従動ローラは、第１ガイド部に案内される媒体を挟持可能に第２駆動ローラと対向している。
【０００４】
この画像読取装置では、搬送部が第１ガイド部及び第２ガイド部に案内される媒体を排出口まで搬送する。この際、第１搬送部は、合流位置を通過する媒体を排出口に向けて搬送する。そして、読取部は、合流位置を通過した媒体の画像を読み取る。
【先行技術文献】
【特許文献】
【０００５】
【特許文献１】特開２０１２−１００１１５号公報
【発明の概要】
【発明が解決しようとする課題】
【０００６】
ところで、従来の画像読取装置では、一般的に、第１従動ローラは、第１駆動ローラに向けて所定の付勢力で付勢されている。第２従動ローラは、第２駆動ローラに向けて所定の付勢力で付勢されている。また、特許文献１には図示されていないが、従来の画像読取装置は、一般的に、規制部を備えている。規制部は、幅の異なる複数種類の媒体が第１導入口から導入される際、それらの媒体を幅方向の中央基準で位置決めする。
【０００７】
ここで、幅方向の一端側、かつ第２導入口から排出口までの経路の内側に位置する第１駆動ローラ及び第１従動ローラに挟持されないような幅の狭い媒体は、名刺やはがき等であって、用紙等である幅の広い媒体より一般的に厚い場合が多い。このため、第１導入口から導入される媒体の搬送方向が屈曲部分によって曲げられる際、幅の狭い媒体には、幅の広い媒体に作用する搬送抵抗よりも大きな搬送抵抗が作用し易い。このため、幅の狭い媒体と第２駆動ローラとの間でスリップが発生し易くなる。その結果、幅の異なる複数種類の媒体が第１導入口から導入される際、幅の広い媒体と幅の狭い媒体とに搬送速度差が生じ易くなる。搬送速度差とは、より具体的には、幅の広い媒体が第１導入口から合流位置を経由して排出口に到達する際の搬送速度と、幅の狭い媒体が第１導入口から合流位置を経由して排出口に到達する際の搬送速度との差である。
【０００８】
このような搬送速度差を抑制するため、第１従動ローラを第１駆動ローラに向けて付勢する付勢力と、第２従動ローラを第２駆動ローラに向けて付勢する付勢力とをともに単純に大きくする方法が考えられる。しかし、付勢力をそのように大きくした場合、それらの付勢力の反力が筐体に作用し、筐体の剛性が不足するおそれがある。そして、筐体の剛性不足を解消するために、筐体の補強や材質の変更等を行わなければならず、大型化や製造コストの高騰を招いてしまう。
【０００９】
本発明は、筐体の剛性不足を抑制しつつ、幅の異なる複数種類の媒体が第１導入口から導入される際に幅の広い媒体と幅の狭い媒体とに搬送速度差が発生することを抑制できる画像読取装置を提供することを目的とする。
【課題を解決するための手段】
【００１０】
本発明の画像読取装置は、第１導入口と、前記第１導入口の幅方向の一端側に位置し、かつ前記幅方向の長さが前記第１導入口より小さい第２導入口と、前記第１導入口及び前記第２導入口に連通する排出口とを有する筐体と、
前記第１導入口から導入される媒体を前記幅方向の中央基準で位置決めする規制部と、
前記筐体に設けられ、前記第１導入口と前記排出口とを繋ぎ、屈曲部分を有する第１ガイド部と、
前記筐体に設けられ、前記第２導入口と、前記第１ガイド部の前記屈曲部分近傍に位置する合流位置とを直線状に繋ぐ第２ガイド部と、
前記筐体内に設けられ、前記合流位置より前記排出口側に位置し、前記合流位置を通過した媒体の画像を読み取る読取部と、
前記筐体に設けられ、前記第１ガイド部及び前記第２ガイド部に案内される媒体を前記排出口まで搬送する搬送部とを備え、
前記搬送部は、前記合流位置と前記排出口との間に位置し、前記合流位置を通過する媒体を前記排出口に向けて搬送する第１搬送部を有し、
前記第１搬送部は、前記幅方向の一端側、かつ前記第２導入口から前記排出口までの経路の内側に位置し、回転駆動される第１駆動ローラと、
前記第１駆動ローラより前記幅方向の中央側、かつ前記経路の外側に位置し、回転駆動される第２駆動ローラと、
前記第１ガイド部に案内される媒体を挟持可能に前記第１駆動ローラと対向する第１従動ローラと、
前記第１ガイド部に案内される媒体を挟持可能に前記第２駆動ローラと対向する第２従動ローラと、
前記第１従動ローラを第１付勢力で前記第１駆動ローラに向けて付勢する第１付勢部材と、
前記第２従動ローラを前記第１付勢力より大きい第２付勢力で前記第２駆動ローラに向けて付勢する第２付勢部材とを有していることを特徴とする。
【００１１】
本発明の画像読取装置では、第２付勢部材の第２付勢力は、第１付勢部材の第１付勢力より大きい。これにより、幅方向の一端側、かつ経路の内側に位置する第１駆動ローラ及び第１従動ローラよりも、第１駆動ローラより幅方向の中央側、かつ第２導入口から排出口までの経路の外側に位置する第２駆動ローラ及び第２従動ローラの方が媒体をより強く挟持できる。このため、第１駆動ローラ及び第１従動ローラに挟持されないような幅の狭い媒体と第２駆動ローラとの間でスリップが発生し難くなる。その結果、幅の異なる複数種類の媒体が第１導入口から導入される際に幅の広い媒体と幅の狭い媒体とに搬送速度差が発生することを抑制できる。
【００１２】
また、第１付勢力及び第２付勢力をともに単純に大きくするわけではなく、第１付勢力は従来通りのままでよいので、第２付勢力の増加分に応じた反力が筐体に作用しても、筐体の剛性が不足し難い。
【００１３】
したがって、本発明の画像読取装置では、筐体の剛性不足を抑制しつつ、幅の異なる複数種類の媒体が第１導入口から導入される際に幅の広い媒体と幅の狭い媒体とに搬送速度差が発生することを抑制できる。
【００１４】
第１搬送部は、読取部と排出口との間に位置していることが望ましい。搬送部は、合流位置と読取部との間に位置し、合流位置を通過する媒体を排出口に向けて搬送する第２搬送部をさらに有していることが望ましい。そして、第２搬送部は、第１駆動ローラより幅方向の中央側、かつ経路の外側に位置し、回転駆動される第３駆動ローラと、第１ガイド部に案内される媒体を挟持可能に第３駆動ローラと対向する第３従動ローラと、第３従動ローラを第２付勢力と等しい第３付勢力で第３駆動ローラに向けて付勢する第３付勢部材とを有していることが望ましい。
【００１５】
この構成によれば、第１搬送部及び第２搬送部により、第１導入口から導入されて合流位置を通過する媒体に対して、読取部の前後で駆動力が確実に伝達される。ここで、第３付勢部材が第３従動ローラを第２付勢力と等しい第３付勢力で第３駆動ローラに向けて付勢するので、第１駆動ローラ及び第１従動ローラに挟持されないような幅の狭い媒体と第３駆動ローラとの間でもスリップが発生し難くなる。これにより、この画像読取装置では、幅の異なる複数種類の媒体が第１導入口から導入される際に幅の広い媒体と幅の狭い媒体とに搬送速度差が発生することをより確実に抑制できる。なお、第２付勢力と第３付勢力とが等しいとは、設計又は製造上の誤差を含む。
【００１６】
第１搬送部は、幅方向の他端側に位置し、回転駆動される第４駆動ローラと、第１ガイド部に案内される媒体を挟持可能に第４駆動ローラと対向する第４従動ローラと、第４従動ローラを第１付勢力と等しい第４付勢力で第４駆動ローラに向けて付勢する第４付勢部材とをさらに有していることが望ましい。
【００１７】
この構成によれば、第１駆動ローラ及び第１従動ローラと、第４駆動ローラ及び第４従動ローラとが幅方向の一端側と他端側とで対をなして、第１導入口から導入される幅の広い媒体を搬送するので、その媒体が斜行し難い。なお、第１付勢力と第４付勢力とが等しいとは、設計又は製造上の誤差を含む。
【００１８】
第２付勢力は、第１付勢力の１．２倍以上であることが望ましい。発明者らは、第２付勢力がこのような範囲にある場合、幅の異なる複数種類の媒体が第１導入口から導入される際に幅の広い媒体と幅の狭い媒体とに搬送速度差が発生することを効果的に抑制できることを実験により確認している。
【００１９】
第２付勢力は、第１付勢力の１．８倍以下であることが望ましい。発明者らは、第２付勢力がこのような範囲にある場合に筐体の剛性不足を効果的に抑制できることを実験により確認している。
【００２０】
筐体は、第１筐体と、排出口の近傍において幅方向と平行に延びる開閉軸心周りで開閉可能に第１筐体を支持するとともに、第２ガイド部が設けられた第２筐体とを有していることが望ましい。第２導入口は、第２筐体に形成されていることが望ましい。第１導入口、第１ガイド部及び排出口は、第２筐体と、閉じた状態の第１筐体とにおける互いに対向する対向面によって形成されていることが望ましい。そして、第１駆動ローラ及び第２駆動ローラは、第２筐体に配されていることが望ましい。また、第１従動ローラ、第２従動ローラ、第１付勢部材及び第２付勢部材は、第１筐体に配されていることが望ましい。
【００２１】
この場合、第１筐体が排出口を挟んだ幅方向の一端側と他端側とで第２筐体に支持されるので、第１筐体における幅方向の中央が第１付勢力及び第２付勢力の反力の影響を受け易い。この点、上記構成であれば、第１付勢力は従来通りのままでよいので、第１筐体の剛性不足を抑制できる。
【図面の簡単な説明】
【００２２】
【図１】実施例の画像読取装置に係り、トレイが開放位置にある状態の主に前方を示す斜視図である。
【図２】実施例の画像読取装置に係り、トレイが閉鎖位置にある状態の主に後方を示す斜視図である。
【図３】実施例の画像読取装置に係り、トレイが閉鎖位置にある状態の主に前方を示す斜視図である。
【図４】実施例の画像読取装置に係り、トレイが開放位置にある状態を示す模式上面図である。
【図５】実施例の画像読取装置に係り、図４のＡ−Ａ断面を示す断面図である。
【図６】実施例の画像読取装置に係り、図４のＢ−Ｂ断面であって、トレイが閉鎖位置にある状態を示す断面図である。
【図７】実施例の画像読取装置に係り、第１筐体を開いた状態を示す部分斜視図である。
【図８】実施例の画像読取装置に係り、第１従動ローラ、第２従動ローラ、第３従動ローラ、第４従動ローラ、第１付勢部材、第２付勢部材、第３付勢部材及び第４付勢部材を残しつつ第１筐体を取り除いた状態を示す部分斜視図である。
【図９】実施例の画像読取装置に係り、（ａ）は図４のＣ−Ｃ断面において、第２搬送部の一例である上流側搬送部を抜き出して示す模式図であり、（ｂ）は図４のＤ−Ｄ断面において、第１搬送部の一例である下流側搬送部を抜き出して示す模式図である。
【図１０】実施例の画像読取装置に係り、ニップ荷重と副走査倍率との関係を示すグラフである。
【発明を実施するための形態】
【００２３】
以下、本発明を具体化した実施例を図面を参照しつつ説明する。
【００２４】
（実施例）
図１に示すように、実施例の画像読取装置１は、本発明の画像読取装置の具体的態様の一例である。図１では、排出口１３側を装置の前側と規定し、排出口１３に対向した場合に左手に来る側を左側と規定して、前後、左右及び上下の各方向を表示する。そして、図２以降に示す各方向は、全て図１に示す各方向に対応させて表示する。以下、図１等に基づいて、画像読取装置１が備える各構成要素について説明する。
【００２５】
＜全体構成＞
図１〜図６に示すように、画像読取装置１は、筐体３０と、トレイ３６とを備えている。筐体３０は、第１筐体３１と第２筐体３２とを有している。
【００２６】
第１筐体３１は、第２筐体３２の上側に位置している。第１筐体３１と第２筐体３２とは、上下方向の間隔を有して互いに対向している。第２筐体３２は、第１側壁部３３Ｒと第２側壁部３３Ｌとを有している。第１側壁部３３Ｒは、第２筐体３２の右側面を構成している。第２側壁部３３Ｌは、第２筐体３２の左側面を構成している。第１側壁部３３Ｒと第２側壁部３３Ｌとは、上側に延びて第１筐体３１を左右方向の外側から挟んでいる。
【００２７】
図１、図５及び図６に示すように、第１筐体３１は、上面３１Ａ、前面３１Ｂ及び上側案内面３１Ｇを有している。上面３１Ａは、上側を向く平面である。上面３１Ａは、後側から前側に向かって下り傾斜している。上面３１Ａの中央には、タッチパネル７０が設けられている。前面３１Ｂは、前側を向く平面である。前面３１Ｂは、上面３１Ａの前端縁に連続し、下側に向かって垂直に延びている。上側案内面３１Ｇは、下側を向く屈曲平面である。上側案内面３１Ｇは、上面３１Ａの後端縁の下側から前側に向かって下り傾斜している。上側案内面３１Ｇは、第１筐体３１における前後方向の略中央において水平に向きを変える。上側案内面３１Ｇは、前側に向かって略水平に延びて、前面３１Ｂの下端縁３１ＢＡに連続している。
【００２８】
図１、図２及び図５〜図８に示すように、第２筐体３２は、前面３２Ｂ、下側案内面３２Ｇ及び後面３２Ｃを有している。前面３２Ｂは、前側を向く平面である。前面３２Ｂの上端縁３２ＢＡは、前面３１Ｂの下端縁３１ＢＡに対して、隙間を有して下側に離間している。前面３２Ｂは、下側に向かって垂直に延びている。下側案内面３２Ｇは、上側を向く屈曲平面である。下側案内面３２Ｇは、後面３２Ｃの上端縁の上側から上側案内面３１Ｇに沿うように、前側に向かって下り傾斜している。下側案内面３２Ｇは、第２筐体３２における前後方向の中央において水平に向きを変える。下側案内面３２Ｇは、前側に向かって水平に延びて、前面３２Ｂの上端縁３２ＢＡに連続している。後面３２Ｃは、後側を向く平面である。後面３２Ｃは、下側に向かって略垂直に延びている。
【００２９】
図２及び図６〜図８に示すように、第２筐体３２は、下側カード案内面３２Ｊ及び上側カード案内面３２Ｈを有している。下側カード案内面３２Ｊは、下側案内面３２Ｇの水平部分における右端部に連続し、後側に向かって水平に延びて後面３２Ｃまで達している。上側カード案内面３２Ｈは、下側カード案内面３２Ｊに対して上側に離間している。上側カード案内面３２Ｈは、下側カード案内面３２Ｊと平行に、後側に向かって水平に延びて後面３２Ｃまで達している。上側カード案内面３２Ｈの上下方向の位置は、上側案内面３１Ｇの水平部分の上下方向の位置とほぼ同じである。
【００３０】
なお、上側案内面３１Ｇ、下側案内面３２Ｇ、上側カード案内面３２Ｈ及び下側カード案内面３２Ｊは、平滑な平面からなる構成に限定されず、複数のリブの先端縁等によって構成されていてもよい。
【００３１】
図４、図６及び図８に示すように、下側カード案内面３２Ｊが下側案内面３２Ｇの水平部分における右端部に連続する位置を合流位置Ｊ１とする。
【００３２】
図１及び図４〜図６に示すように、筐体３０には、第１導入口１１と排出口１３とが形成されている。第１導入口１１に、シートＳＨが挿入される。シートＳＨは、例えば、用紙やＯＨＰシート等である。シートＳＨは、本発明の「媒体」の一例である。シートＳＨは、例えば、幅の広いものではレターサイズやＡ４サイズの用紙等であり、幅の狭いものでは葉書等である。なお、幅の狭い名刺やカード等については、屈曲平面である上側案内面３１Ｇ及び下側案内面３２Ｇに沿って案内されることが可能な程度に薄く曲り易い場合には、シートＳＨに含まれる。
【００３３】
より詳しくは、図５に示すように、第１導入口１１は、第１筐体３１と第２筐体３２との間に形成されている。第１導入口１１は、上側案内面３１Ｇの後端縁３１ＧＡと、下側案内面３２Ｇの後端縁３２ＧＡとの隙間である。図１に示すように、第１導入口１１は、右側の第１側壁部３３Ｒの近傍から左側の第２側壁部３３Ｌの近傍まで、左右方向に延びている。第１導入口１１の左右方向の長さは、シートＳＨの幅よりも長く設定されている。
【００３４】
本実施例では、第１導入口１１の幅方向は、左右方向である。第１導入口１１の幅方向の一端側は、第１導入口１１の右端側である。第１導入口１１の幅方向の他端側は、第１導入口１１の左端側である。
【００３５】
図１及び図５に示すように、排出口１３からシートＳＨが排出される。排出口１３は、第１筐体３１と第２筐体３２との間に形成されている。より詳しくは、排出口１３は、前面３１Ｂの下端縁３１ＢＡと、前面３２Ｂの上端縁３２ＢＡとの隙間である。排出口１３は、右側の第１側壁部３３Ｒの近傍から左側の第２側壁部３３Ｌの近傍まで、左右方向に延びている。排出口１３の左右方向の長さは、第１導入口１１と同様、シートＳＨの幅よりも長く設定されている。
【００３６】
図４〜図６に示すように、画像読取装置１は、第１ガイド部１０を備えている。第１ガイド部１０は、第１筐体３１の上側案内面３１Ｇと、第２筐体３２の下側案内面３２Ｇとに上下方向から挟まれてなる通路である。第１ガイド部１０は、図４〜図６に示す第１搬送経路Ｐ１を形成している。第１ガイド部１０は、第１搬送経路Ｐ１に沿って、シートＳＨを後側の第１導入口１１から前側の排出口１３へ案内する。
【００３７】
図５及び図６に示すように、第１ガイド部１０は、第１導入口１１から前側に向かって下り傾斜している。第１ガイド部１０は、筐体３０における前後方向の中央において屈曲して前側に向きを変更する屈曲部分を有している。そして、第１ガイド部１０は、屈曲部分から排出口１３まで水平に延びている。
【００３８】
図７に示すように、第２筐体３２は、開閉軸心Ｘ３１周りで開閉可能に第１筐体３１を支持している。開閉軸心Ｘ３１は、第１筐体３１の前面３１Ｂの下端縁３１ＢＡ側、すなわち、排出口１３の近傍に位置して左右方向に延びている。第１筐体３１が第２筐体３２に対して上方に離間するように揺動することにより、第１ガイド部１０が開放される。
【００３９】
要するに、第１導入口１１、第１ガイド部１０及び排出口１３は、閉じた状態の第１筐体３１と第２筐体３２とにおける互いに対向する対向面、すなわち、第１筐体３１の上側案内面３１Ｇと、第２筐体３２の下側案内面３２Ｇとによって形成されている。
【００４０】
図２、図４、図６及び図７に示すように、筐体３０には、第２導入口１２が形成されている。第２導入口１２に、幅の狭いカードＣＡが挿入される。カードＣＡは、小面積の枚葉である。カードＣＡは、例えば、名刺、キャッシュカード、会員証又は免許証等である。カードＣＡも、本発明の「媒体」の一例である。
【００４１】
より詳しくは、図４及び図６に示すように、第２導入口１２は、第２筐体３２の後面３２Ｃに貫通して形成されている。第２導入口１２は、後面３２Ｃにおける上下方向の中間部、かつ第１側壁部３３Ｒ側に開口している。第２導入口１２は、左右方向に延びている。第２導入口１２の左右方向の長さは、第１導入口１１の左右方向の長さよりも小さく形成されている。また、第２導入口１２の左右方向の長さは、カードＣＡの幅よりも長く設定されている。第２導入口１２の上下方向の位置は、第１ガイド部１０の水平部分及び排出口１３の上下方向の位置とほぼ同じである。第２導入口１２は、第１導入口１１の右端側と上下方向において重なる位置にある。
【００４２】
図３及び図６に示すように、排出口１３の右端側から、カードＣＡが排出される。要するに、排出口１３からは、第１導入口１１から挿入されたシートＳＨ及び第２導入口１２から挿入されたカードＣＡが共通して排出される。
【００４３】
図４及び図６に示すように、画像読取装置１は、第２ガイド部２０を備えている。第２ガイド部２０は、第２筐体３２の上側カード案内面３２Ｈと下側カード案内面３２Ｊとに上下方向から挟まれて直線状に延びる通路である。要するに、第２ガイド部２０は、第２筐体３２に設けられている。第２ガイド部２０は、合流位置Ｊ１において、第１ガイド部１０に合流する。
【００４４】
第２ガイド部２０が第１ガイド部１０に合流する合流位置Ｊ１は、第１ガイド部１０の屈曲部分の近傍、すなわち、上側案内面３１Ｇ及び下側案内面３２Ｇの前側から後側に向かって下り傾斜する部分から水平に向きを変える屈曲部分に設定されている。
【００４５】
図４に示すように、第１ガイド部１０の右端側において、第２ガイド部２０の左右方向の幅と同じ幅で合流位置Ｊ１から排出口１３まで延びる領域をカード搬送領域２９とする。第２ガイド部２０と、カード搬送領域２９とは、図４及び図６に示す第２搬送経路Ｐ２を形成している。第２搬送経路Ｐ２は、後側の第２導入口１２から前側の排出口１３の右端側まで水平に延びている。第２搬送経路Ｐ２は、本発明の「第２導入口から排出口までの経路」の一例である。
【００４６】
第２ガイド部２０は、第２導入口１２から挿入されたカードＣＡを第２搬送経路Ｐ２に沿って第１ガイド部１０に合流するように案内する。そして、第１ガイド部１０のカード搬送領域２９は、そのカードＣＡを第２搬送経路Ｐ２に沿って排出口１３の右端側へ案内する。
【００４７】
図１〜図３等に示すように、トレイ３６は、基部３６Ａ、中間部３６Ｂ及び先端部３６Ｃを有している。基部３６Ａは、左右方向に延びる開閉軸心Ｘ３６Ａ周りに揺動可能に第１側壁部３３Ｒ及び第２側壁部３３Ｌに支持されている。中間部３６Ｂは、基部３６Ａの開閉軸心Ｘ３６Ａから遠い端縁側において、基部３６Ａに連結されている。先端部３６Ｃは、中間部３６Ｂの基部３６Ａから遠い端縁側において、中間部３６Ｂに連結されている。中間部３６Ｂの中央には、操作開口３９が矩形状に開口している。
【００４８】
トレイ３６が図１、図４及び図５に示す開放位置にある状態では、基部３６Ａ、中間部３６Ｂ及び先端部３６Ｃが下側案内面３２Ｇの傾斜部分に連続するように後側に向かって上り傾斜し、第１導入口１１を開放している。この状態において、基部３６Ａ、中間部３６Ｂ及び先端部３６Ｃの上側を向く面は、保持面３６Ｈを構成している。ユーザがトレイ３６に１枚又は複数枚のシートＳＨを載置すると、保持面３６ＨがそのシートＳＨを下側から保持する。
【００４９】
一方、トレイ３６が図２、図３及び図６に示す閉鎖位置にある状態では、基部３６Ａが垂直になって第２筐体３２の後面３２Ｃと面一になる。中間部３６Ｂが第１筐体３１の上面３１Ａを上側から覆う。先端部３６Ｃが第１筐体３１の前面３１Ｂを前側から覆う。この状態において、操作開口３９は、タッチパネル７０を外部に露出させている。
【００５０】
図１、図５及び図８に示すように、画像読取装置１は、左右一対の規制部３６Ｇを備えている。各規制部３６Ｇは、左右方向に摺動可能に基部３６Ａに設けられて、保持面３６Ｈ上に突出している。各規制部３６Ｇは、基部３６Ａ内に配された図示しないラック＆ピニオン機構に連結されている。各規制部３６Ｇは、トレイ３６の保持面３６Ｈに保持されて第１導入口１１に導入されるシートＳＨを左右方向の外側から挟んで左右方向の位置決めを行う。この際、各規制部３６Ｇは、ラック＆ピニオン機構によって連動し、第１導入口１１における左右方向の中央基準でシートＳＨを位置決めする。
【００５１】
図１は、各規制部３６Ｇが左右方向において最も離間した状態を示している。この状態では、各規制部３６Ｇは、レターサイズのシートＳＨを第１導入口１１における左右方向の中央基準で位置決めする。図８は、各規制部３６Ｇが左右方向において接近した状態を示している。この状態では、各規制部３６Ｇは、葉書サイズのシートＳＨを第１導入口１１における左右方向の中央基準で位置決めする。図示は省略するが、各規制部３６Ｇは、図８に示す状態からさらに接近することにより、名刺サイズのシートＳＨを第１導入口１１における左右方向の中央基準で位置決めする。
【００５２】
図４〜図６に示すように、画像読取装置１は、回路基板５４と駆動源４０Ｍと搬送部４０と読取部５５とを備えている。
【００５３】
図５及び図６に示すように、回路基板５４は、第２筐体３２の底部に配されている。回路基板５４は、ＣＰＵ、ＲＯＭ及びＲＡＭ等からなる制御回路を有している。回路基板５４には、ＡＣアダプタ及び給電コードを介して、家庭用コンセントから電力が供給される。回路基板５４は、駆動源４０Ｍ、読取部５５、タッチパネル７０等に電気的に接続され、適宜それらに電力を供給して制御を行う。
【００５４】
図４に示すように、駆動源４０Ｍは、第２筐体３２内における第２側壁部３３Ｌ側に設けられている。駆動源４０Ｍは、図示しないモータ及び伝達ギヤ群を有している。駆動源４０Ｍは、回路基板５４に制御されることにより駆動力を発生する。
【００５５】
図４〜図８に示すように、搬送部４０は、分離ローラ４８、分離パッド４９、上流側搬送部４１及び下流側搬送部４２を有している。上流側搬送部４１は、本発明の「第２搬送部」の一例である。下流側搬送部４２は、本発明の「第１搬送部」の一例である。読取部５５は、第１読取部５５Ａ及び第２読取部５５Ｂを有している。これらは、第１ガイド部１０において、後側から前側から向かって、すなわちシートＳＨの搬送方向の上流側から下流側に向かって、分離ローラ４８及び分離パッド４９、上流側搬送部４１、第２読取部５５Ｂ、第１読取部５５Ａ、下流側搬送部４２という順番で配されている。また、分離ローラ４８及び分離パッド４９は、第１導入口１１と合流位置Ｊ１との間に位置している。上流側搬送部４１、第２読取部５５Ｂ、第１読取部５５Ａ及び下流側搬送部４２は、合流位置Ｊ１と排出口１３との間に位置している。以下、この順番で、これらの構成を説明する。
【００５６】
図４、図５、図７及び図８に示すように、分離ローラ４８は、第２筐体３２内に回転可能に支持されている。分離ローラ４８の上部は、下側案内面３２Ｇの傾斜部分から第１ガイド部１０に露出している。分離ローラ４８は、第１ガイド部１０における左右方向の中央部に配されている。
【００５７】
分離ローラ４８は、回路基板５４が駆動源４０Ｍを制御することにより、駆動源４０Ｍに回転駆動される。分離ローラ４８は、トレイ３６に載置されたシートＳＨに当接しつつ回転することにより、そのシートＳＨを第１ガイド部１０に送り出す。
【００５８】
図５及び図７に示すように、分離パッド４９は、第１筐体３１に組み付けられている。分離パッド４９は、上側案内面３１Ｇにおいて第１ガイド部１０に露出している。分離パッド４９は、ゴムやエラストマー等の摩擦部材からなる板状体である。分離パッド４９は、図示しない付勢部材に付勢されて、分離ローラ４８に押し付けられている。これにより、分離ローラ４８と分離パッド４９とは、第１ガイド部１０において搬送されるシートＳＨを挟んで一枚ずつ分離し得る。
【００５９】
図４〜図８及び図９（ａ）に示すように、上流側搬送部４１は、合流位置Ｊ１と第２読取部５５Ｂとの間に位置している。上流側搬送部４１は、第３駆動ローラ１３１、１３２とカード用駆動ローラ１５１とを有している。
【００６０】
第３駆動ローラ１３１、１３２とカード用駆動ローラ１５１とは、第２筐体３２に配されて、上流側駆動軸４１Ｓに固定されている。上流側駆動軸４１Ｓは、駆動源４０Ｍから右側の第１側壁部３３Ｒの近傍まで左右方向に延びている。カード用駆動ローラ１５１は、第１ガイド部１０の右端側、かつ第２搬送経路Ｐ２の内側に位置している。第３駆動ローラ１３１、１３２は、カード用駆動ローラ１５１より左右方向の中央側、かつ第２搬送経路Ｐ２の外側に位置している。第３駆動ローラ１３１は、分離ローラ４８より左側に位置している。第３駆動ローラ１３２は、分離ローラ４８より右側に位置している。第３駆動ローラ１３１、１３２とカード用駆動ローラ１５１とは、駆動源４０Ｍの駆動力が上流側駆動軸４１Ｓを介して伝達されることにより回転駆動される。
【００６１】
また、上流側搬送部４１は、第３従動ローラ１３５、１３６と第３付勢部材１３８、１３９とカード用従動ローラ１５５とを有している。
【００６２】
第３従動ローラ１３５、１３６は、第１筐体３１に配されて、第３従動軸１３４に回転可能に支持されている。図５、図８及び図９（ａ）に示すように、第３従動軸１３４は、上流側駆動軸４１Ｓの真上に位置して、第３駆動ローラ１３１より左側から第３駆動ローラ１３２より右側まで左右方向に延びている。第３従動ローラ１３５は、第３駆動ローラ１３１の真上に位置して、第３駆動ローラ１３１と対向している。第３従動ローラ１３６は、第３駆動ローラ１３２の真上に位置して、第３駆動ローラ１３２と対向している。
【００６３】
図８及び図９（ａ）に示すように、第３付勢部材１３８、１３９は、圧縮コイルバネである。第３付勢部材１３８、１３９は、第１筐体３１に配されて、第３従動軸１３４の上側に位置している。第３付勢部材１３８は、第３従動軸１３４の左端部を第３付勢力Ｆ３で上流側駆動軸４１Ｓに向けて付勢している。第３付勢部材１３９は、第３従動軸１３４の右端部を第３付勢力Ｆ３で上流側駆動軸４１Ｓに向けて付勢している。つまり、第３付勢部材１３８、１３９は、第３従動ローラ１３５と第３従動ローラ１３６とをそれぞれ第３付勢力Ｆ３で第３駆動ローラ１３１、１３２に向けて付勢している。これにより、第３従動ローラ１３５、１３６は、第３駆動ローラ１３１、１３２に押し付けられている。そして、第１ガイド部１０に案内されるシートＳＨを第３駆動ローラ１３１、１３２と第３従動ローラ１３５、１３６とが挟持し、搬送力を伝達する。
【００６４】
図６〜図８に示すように、カード用従動ローラ１５５は、第１筐体３１に回転可能に支持されている。カード用従動ローラ１５５は、上側案内面３１Ｇから露出した状態で、カード用駆動ローラ１５１に上方から対向している。カード用駆動ローラ１５１とカード用従動ローラ１５５との間の隙間は、第１ガイド部１０に案内されるシートＳＨが第２搬送経路Ｐ２の内側を通過する程度に幅が広い場合にそのシートＳＨの厚みより厚く設定されて、そのシートＳＨを挟持しないようになっている。その一方、カード用駆動ローラ１５１とカード用従動ローラ１５５との間の隙間は、第２ガイド部２０に案内されるカードＣＡを挟持可能な大きさに設定されて、そのカードＣＡに搬送力を伝達可能となっている。
【００６５】
なお、図６に示すように、第２ガイド部２０の上側カード案内面３２Ｈ側には、カード用補助ローラ１５６が配されている。カード用補助ローラ１５６は、第２導入口１２から導入されるカードＣＡを下側カード案内面３２Ｊに沿わせるように付勢する。
【００６６】
第２読取部５５Ｂは、第２筐体３２に組み付けられている。より具体的には、第２読取部５５Ｂは、Ｃｏｎｔａｃｔ  Ｉｍａｇｅ  Ｓｅｎｓｏｒ（以後、「ＣＩＳ」と略す）、ＣＩＳホルダ及びコンタクトガラス等を備える。第２読取部５５Ｂの上面は、下側案内面３２Ｇの水平部分において第１ガイド部１０に露出している。
【００６７】
第１読取部５５Ａは、第１筐体３１に組み付けられている。より具体的には、第１読取部５５Ａは、ＣＩＳ、ＣＩＳホルダ及びコンタクトガラス等を備える。第１読取部５５Ａの下面は、上側案内面３１Ｇの水平部分において第１ガイド部１０に露出している。
【００６８】
図４に示すように、第１読取部５５Ａ及び第２読取部５５Ｂは、右側の第１側壁部３３Ｒの近傍から、左側の第２側壁部３３Ｌの近傍まで左右方向に延びている。図４〜図６に示すように、第１読取部５５Ａ及び第２読取部５５Ｂは、カード搬送領域２９を含む第１ガイド部１０全体を上下方向から挟むように対向している。
【００６９】
上記構成により、第１読取部５５Ａ及び第２読取部５５Ｂは、シートＳＨが第１ガイド部１０において搬送される場合、そのシートＳＨの両面の画像を読み取る。また、第１読取部５５Ａ及び第２読取部５５Ｂは、第２ガイド部２０に案内されて第１ガイド部１０に合流したカードＣＡがカード搬送領域２９において搬送される場合、そのカードＣＡの両面の画像を読み取る。
【００７０】
図４〜図８及び図９（ｂ）に示すように、下流側搬送部４２は、第１読取部５５Ａと排出口１３との間に位置している。下流側搬送部４２は、第１駆動ローラ１１１と第２駆動ローラ１２１、１２２と第４駆動ローラ１４１とを有している。第１駆動ローラ１１１と第２駆動ローラ１２１、１２２と第４駆動ローラ１４１とは、第２筐体３２に配されて、下流側駆動軸４２Ｓに固定されている。下流側駆動軸４２Ｓは、駆動源４０Ｍから右側の第１側壁部３３Ｒの近傍まで左右方向に延びている。第１駆動ローラ１１１は、第１ガイド部１０の右端側、かつ第２搬送経路Ｐ２の内側に位置している。第２駆動ローラ１２１、１２２は、第１駆動ローラ１１１より左右方向の中央側、かつ第２搬送経路Ｐ２の外側に位置している。第２駆動ローラ１２１は、分離ローラ４８より左側に位置している。第２駆動ローラ１２２は、分離ローラ４８より右側に位置している。第４駆動ローラ１４１は、第２駆動ローラ１２１より左側、すなわち、第２駆動ローラ１２１、１２２を挟んで第１駆動ローラ１１１とは反対側に位置している。第１駆動ローラ１１１と第２駆動ローラ１２１、１２２と第４駆動ローラ１４１とは、駆動源４０Ｍの駆動力が下流側駆動軸４２Ｓを介して伝達されることにより回転駆動される。
【００７１】
また、下流側搬送部４２は、第１従動ローラ１１５と第２従動ローラ１２５、１２６と第４従動ローラ１４５と第１付勢部材１１８、１１９と第２付勢部材１２８、１２９と第４付勢部材１４８、１４９とを有している。
【００７２】
第１従動ローラ１１５は、第１筐体３１に配されて、第１従動軸１１４に回転可能に支持されている。図６、図８及び図９（ｂ）に示すように、第１従動軸１１４は、下流側駆動軸４２Ｓの真上に位置して、第１駆動ローラ１１１より左側から第１駆動ローラ１１１より右側まで左右方向に延びている。第１従動ローラ１１５は、第１駆動ローラ１１１の真上に位置して、第１駆動ローラ１１１と対向している。
【００７３】
図５、図７、図８及び図９（ｂ）に示すように、第２従動ローラ１２５、１２６は、第１筐体３１に配されて、第２従動軸１２４に回転可能に支持されている。第２従動軸１２４は、下流側駆動軸４２Ｓの真上に位置して、第２駆動ローラ１２１より左側から第２駆動ローラ１２２より右側まで左右方向に延びている。第２従動ローラ１２５は、第２駆動ローラ１２１の真上に位置して、第２駆動ローラ１２１と対向している。第２従動ローラ１２６は、第２駆動ローラ１２２の真上に位置して、第２駆動ローラ１２２と対向している。
【００７４】
図７、図８及び図９（ｂ）に示すように、第４従動ローラ１４５は、第１筐体３１に配されて、第４従動軸１４４に回転可能に支持されている。第４従動軸１４４は、下流側駆動軸４２Ｓの真上に位置して、第４駆動ローラ１４１より左側から第４駆動ローラ１４１より右側まで左右方向に延びている。第４従動ローラ１４５は、第４駆動ローラ１４１の真上に位置して、第４駆動ローラ１４１と対向している。
【００７５】
図８及び図９（ｂ）に示すように、第１付勢部材１１８、１１９は、圧縮コイルバネである。第１付勢部材１１８、１１９は、第１筐体３１に配されて、第１従動軸１１４の上側に位置している。第１付勢部材１１８は、第１従動軸１１４の左端部を付勢力Ｆ１１８で下流側駆動軸４２Ｓに向けて付勢している。第１付勢部材１１９は、第１従動軸１１４の右端部を付勢力Ｆ１１９で下流側駆動軸４２Ｓに向けて付勢している。付勢力Ｆ１１８と付勢力Ｆ１１９との合力が第１付勢力Ｆ１である。つまり、第１付勢部材１１８、１１９は、第１従動ローラ１１５を第１付勢力Ｆ１で第１駆動ローラ１１１に向けて付勢している。これにより、第１従動ローラ１１５は、第１駆動ローラ１１１に押し付けられている。そして、第１ガイド部１０に案内されるシートＳＨが第２搬送経路Ｐ２の内側を通過する程度に幅が広い場合に、第１駆動ローラ１１１と第１従動ローラ１１５とがそのシートＳＨの右側を挟持し、搬送力を伝達する。
【００７６】
第２付勢部材１２８、１２９は、圧縮コイルバネである。第２付勢部材１２８、１２９は、第１筐体３１に配されて、第２従動軸１２４の上側に位置している。第２付勢部材１２８は、第２従動軸１２４の左端部を第２付勢力Ｆ２で下流側駆動軸４２Ｓに向けて付勢している。第２付勢部材１２９は、第２従動軸１２４の右端部を第２付勢力Ｆ２で下流側駆動軸４２Ｓに向けて付勢している。つまり、第２付勢部材１２８、１２９は、第２従動ローラ１２５と第２従動ローラ１２６とをそれぞれ第２付勢力Ｆ２で第２駆動ローラ１２１、１２２に向けて付勢している。これにより、第２従動ローラ１２５、１２６は、第２駆動ローラ１２１、１２２に押し付けられている。そして、第１ガイド部１０に案内されるシートＳＨを第２駆動ローラ１２１、１２２と第２従動ローラ１２５、１２６とが挟持し、搬送力を伝達する。
【００７７】
第４付勢部材１４８、１４９は、圧縮コイルバネである。第４付勢部材１４８、１４９は、第１筐体３１に配されて、第４従動軸１４４の上側に位置している。第４付勢部材１４８は、第４従動軸１４４の左端部を付勢力Ｆ１４８で下流側駆動軸４２Ｓに向けて付勢している。第４付勢部材１４９は、第４従動軸１４４の右端部を付勢力Ｆ１４９で下流側駆動軸４２Ｓに向けて付勢している。付勢力Ｆ１４８と付勢力Ｆ１４９との合力が第４付勢力Ｆ４である。つまり、第４付勢部材１４８、１４９は、第４従動ローラ１４５を第４付勢力Ｆ４で第４駆動ローラ１４１に向けて付勢している。これにより、第４従動ローラ１４５は、第４駆動ローラ１４１に押し付けられている。そして、第１ガイド部１０に案内されるシートＳＨが第２搬送経路Ｐ２の内側を通過する程度に幅が広い場合に、第１駆動ローラ１１１及び第１従動ローラ１１５とは反対側に位置する第４駆動ローラ１４１と第４従動ローラ１４５とがそのシートＳＨの左側を挟持し、搬送力を伝達する。
【００７８】
ここで、第１付勢力Ｆ１、第２付勢力Ｆ２、第３付勢力Ｆ３及び第４付勢力Ｆ４は、以下のような大小関係となるように設定されている。すなわち、第２付勢力Ｆ２は、第１付勢力Ｆ１より大きい。より具体的には、第２付勢力Ｆ２は、第１付勢力Ｆ１の１．２倍以上である。また、第２付勢力Ｆ２は、第１付勢力Ｆ１の１．８倍以下である。このような第１付勢力Ｆ１及び第２付勢力Ｆ２の大小関係は、発明者らが試験を実施して得られた試験結果、例えば、図１０のグラフ等に基づいて設定される。図１０のグラフについては、後で説明する。
【００７９】
また、第３付勢力Ｆ３は、第２付勢力Ｆ２と等しくされている。なお、第２付勢力Ｆ２と第３付勢力Ｆ３とが等しいとは、設計又は製造上の誤差を含む。さらに、第４付勢力Ｆ４は、第１付勢力Ｆ１と等しくされている。なお、第１付勢力Ｆ１と第４付勢力Ｆ４とが等しいとは、設計又は製造上の誤差を含む。
【００８０】
本実施例では、一例として、付勢力Ｆ１１８、Ｆ１１９がそれぞれ２５０ｇｆとされ、付勢力Ｆ１１８、Ｆ１１９の合力である第１付勢力Ｆ１が５００ｇｆとされている。そして、第２付勢力Ｆ２及び第３付勢力Ｆ３が第１付勢力Ｆ１の１．５倍である７５０ｇｆ以上であって、なるべく７５０ｇｆに近くなるように設定されている。また、付勢力Ｆ１４８、Ｆ１４９がそれぞれ２５０ｇｆとされ、付勢力Ｆ１４８、Ｆ１４９の合力である第４付勢力Ｆ４が第１付勢力Ｆ１と等しい５００ｇｆとされている。
【００８１】
図１及び図５に示すように、タッチパネル７０は、第１筐体３１の内部における上面３１Ａ側に組み付けられている。タッチパネル７０は、上面３１Ａにくり抜かれた矩形状のタッチパネル用開口３１Ｈにより外部に露出している。タッチパネル７０は、液晶パネルと、液晶パネルの背面側から光を照射する蛍光ランプやＬＥＤ等の光源と、液晶パネルの表面に貼り合わされた接触感知膜とを有している。
【００８２】
タッチパネル７０は、回路基板５４に制御されて、画像読取動作の処理状況やエラー状況等である画像読取装置１の稼働状況等を表示する。また、タッチパネル７０は、外部からの操作を受け付ける。具体的には、タッチパネル７０は、例えば、画像読取を開始するためのボタンや、設定入力用のボタン等の各種のボタンを表示する。そして、ユーザがいずれかのボタンに対応する処理の実行指示や設定入力を行うために、タッチパネル７０に触れると、タッチパネル７０は、その操作を受け付けて、回路基板５４に伝達する。
【００８３】
＜シート及びカードの画像読取動作＞
この画像読取装置１では、以下のようにして、シートＳＨ及びカードＣＡの画像が読み取られる。
【００８４】
図１及び図５に示すように、シートＳＨの画像が読み取られる場合、ユーザにより、トレイ３６が開放位置にある状態とされる。トレイ３６が開放位置にある状態であれば、その状態が維持される。そして、ユーザにより、トレイ３６にシートＳＨが載置される。回路基板５４は、タッチパネル７０からシートＳＨの読取指示があった場合等に、図示しないシート検出センサによってトレイ３６の保持面３６ＨにシートＳＨが保持されていることを確認した上で、シートＳＨの画像読取動作を開始する。
【００８５】
そうすると、回路基板５４は、駆動源４０Ｍに駆動力を発生させるように制御する。これにより、まず、分離ローラ４８が分離パッド４９とシートＳＨを挟みながら回転する。分離ローラ４８は、トレイ３６上のシートＳＨを第１導入口１１から導入し、シートＳＨを第１ガイド部１０に送り出す。この際、複数枚のシートＳＨが重なった状態で搬送されようとしている場合、分離パッド４９とシートＳＨとの間の摩擦力などにより、シートＳＨが一枚ずつ分離され得る。
【００８６】
次に、上流側搬送部４１の第３駆動ローラ１３１、１３２及び第３従動ローラ１３５、１３６によって、分離ローラ４８に送り出されたシートＳＨを第１ガイド部１０において搬送する。第１ガイド部１０において搬送されるシートＳＨの両面の画像が第１読取部５５Ａ及び第２読取部５５Ｂにより読み取られる。画像が読み取られたシートＳＨは、下流側搬送部４２の第１駆動ローラ１１１、第２駆動ローラ１２１、１２２、第４駆動ローラ１４１、第１従動ローラ１１５、第２従動ローラ１２５、１２６及び第４従動ローラ１４５によって、排出口１３から筐体３０の外部に排出される。
【００８７】
一方、図２、図３及び図６に示すように、カードＣＡの画像が読み取られる場合、ユーザにより、トレイ３６が閉鎖位置にある状態とされる。トレイ３６が閉鎖位置にある状態であれば、その状態が維持される。そして、図２に示すように、ユーザにより、カードＣＡが筐体３０の後側から第２導入口１２に差し込まれる。そうすると、カードＣＡは、第２ガイド部２０を通過し、その先端がカード搬送領域２９に到達する。回路基板５４は、タッチパネル７０からカードＣＡの読取指示があった場合等に、図示しないカード検出センサによって第２導入口１２からカードＣＡが挿入されていることを確認した上で、カードＣＡの画像読取動作を開始する。
【００８８】
そうすると、回路基板５４は、駆動源４０Ｍに駆動力を発生させるように制御する。これにより、上流側搬送部４１のカード用駆動ローラ１５１及びカード用従動ローラ１５５によって、カード搬送領域２９、すなわち第２搬送経路Ｐ２の内側においてカードＣＡを搬送する。カード搬送領域２９において搬送されるカードＣＡの両面の画像が第１読取部５５Ａ及び第２読取部５５Ｂにより読み取られる。図３に示すように、画像が読み取られたカードＣＡは、下流側搬送部４２の第１駆動ローラ１１１及び第１従動ローラ１１５によって、排出口１３の右端側から筐体３０の外部に排出される。
【００８９】
＜作用効果＞
実施例の画像読取装置１では、下流側搬送部４２において、第２付勢部材１２８、１２９の第２付勢力Ｆ２は、第１付勢部材１１８、１１９の第１付勢力Ｆ１より大きい。より詳しくは、第２付勢力Ｆ２は、第１付勢力Ｆ１の１．２倍以上、１．８倍以下である。これにより、第１ガイド部１０の右端側、かつ第２搬送経路Ｐ２の内側に位置する第１駆動ローラ１１１及び第１従動ローラ１１５よりも、第１駆動ローラ１１１より左右方向の中央側、かつ第２搬送経路Ｐ２の外側に位置する第２駆動ローラ１２１、１２２及び第２従動ローラ１２５、１２６の方がシートＳＨをより強く挟持できる。このため、第１駆動ローラ１１１及び第１従動ローラ１１５に挟持されないような幅の狭い葉書や名刺等のシートＳＨと第２駆動ローラ１２１、１２２との間でスリップが発生し難くなる。その結果、この画像読取装置１では、幅の異なる複数種類のシートＳＨが第１導入口１１から導入される際に幅の広いシートＳＨと幅の狭いシートＳＨとに搬送速度差が発生することを抑制できる。
【００９０】
より詳しくは、図１０に示すグラフにおいて、横軸のニップ荷重は、第１付勢力Ｆ１に対して第２付勢力Ｆ２が何倍であるかを示している。縦軸の副走査倍率は、シートＳＨの実際の搬送方向の長さに対して、読取部５５が読み取った画像におけるシートＳＨの搬送方向の長さが何％変化しているかを示している。
【００９１】
折れ線Ｌ１は、厚さ０．２ｍｍ程度の名刺であるシートＳＨを搬送部４０によって搬送する際のニップ荷重と副走査倍率との関係を示している。折れ線Ｌ２は、厚さ０．２ｍｍ程度の葉書であるシートＳＨを搬送部４０によって搬送する際のニップ荷重と副走査倍率との関係を示している。折れ線Ｌ３は、厚さ０．３ｍｍ程度の名刺であるシートＳＨを搬送部４０によって搬送する際のニップ荷重と副走査倍率との関係を示している。
【００９２】
折れ線Ｌ１、Ｌ２、Ｌ３からわかるように、第２付勢力Ｆ２が第１付勢力Ｆ１の１倍である場合、副走査倍率が４〜９％程度であって読取画像が実際より搬送方向に延びてしまうことがわかる。その一方、第２付勢力Ｆ２が第１付勢力Ｆ１より大きくなると副走査倍率が減少し、１．２倍以上で品質上許容される程度まで減少し、１．８倍を超えると副走査倍率の変化が殆どなくなる傾向となる。このような試験結果から、この画像読取装置１では、第１駆動ローラ１１１及び第１従動ローラ１１５に挟持されないような幅の狭い葉書や名刺等のシートＳＨと第２駆動ローラ１２１、１２２との間でスリップが発生し難いことが明らかである。
【００９３】
また、第１付勢力Ｆ１及び第２付勢力Ｆ２をともに単純に大きくするわけではなく、第１付勢力Ｆ１は従来通りのままでよいので、第２付勢力Ｆ２の増加分に応じた反力が筐体３０に作用しても、筐体３０の剛性が不足し難い。特に、この画像読取装置１では、第１筐体３１が排出口１３を挟んだ左右両端側で第２筐体３２に支持されるので、仮に何ら対策を施さなければ、第１筐体３１における左右方向の中央が第１付勢力Ｆ１及び第２付勢力Ｆ２の反力の影響を受け易い。この点、この画像読取装置１では、第１付勢力Ｆ１は従来通りのままでよいので、第１筐体３１の剛性不足を抑制できる。
【００９４】
したがって、実施例の画像読取装置１では、筐体３０の剛性不足を抑制しつつ、幅の異なる複数種類のシートＳＨが第１導入口１１から導入される際に幅の広いシートＳＨと幅の狭いシートＳＨとに搬送速度差が発生することを抑制できる。
【００９５】
また、この画像読取装置１では、上流側搬送部４１において、第３付勢部材１３８、１３９が第３従動ローラ１３５、１３６を第２付勢力Ｆ２と等しい第３付勢力Ｆ３で第３駆動ローラ１３１、１３２に向けて付勢するので、第１駆動ローラ１１１及び第１従動ローラ１１５に挟持されないような幅の狭いシートＳＨと第３駆動ローラ１３１、１３２との間でもスリップが発生し難くなる。これにより、この画像読取装置１では、幅の異なる複数種類のシートＳＨが第１導入口１１から導入される際に幅の広いシートＳＨと幅の狭いシートＳＨとに搬送速度差が発生することをより確実に抑制できる。
【００９６】
さらに、この画像読取装置１では、下流側搬送部４２において、第１駆動ローラ１１１及び第１従動ローラ１１５と、第４駆動ローラ１４１及び第４従動ローラ１４５とが第１ガイド部１０の右端側と左端側とで対をなして、第１導入口１１から導入される幅の広いシートＳＨを搬送するので、そのシートＳＨが斜行し難い。
【００９７】
以上において、本発明を実施例に即して説明したが、本発明は上記実施例に制限されるものではなく、その趣旨を逸脱しない範囲で適宜変更して適用できることはいうまでもない。
【符号の説明】
【００９８】
１…画像読取装置、１１…第１導入口、１２…第２導入口、１３…排出口
ＳＨ、ＣＡ…媒体（ＳＨ…シート、ＣＡ…カード）
３０…筐体、３６Ｇ…規制部、１０…第１ガイド部、Ｊ１…合流位置
２０…第２ガイド部、５５…読取部、４０…搬送部
Ｐ２…第２導入口から排出口までの経路（第２搬送経路）
４２…第１搬送部（下流側搬送部）、４１…第２搬送部（上流側搬送部）
１１１…第１駆動ローラ、１１５…第１従動ローラ
Ｆ１…第１付勢力、１１８、１１９…第１付勢部材
１２１、１２２…第２駆動ローラ、１２５、１２６…第２従動ローラ
Ｆ２…第２付勢力、１２８、１２９…第２付勢部材
１３１、１３２…第３駆動ローラ、１３５、１３６…第３従動ローラ
Ｆ３…第３付勢力、１３８、１３９…第３付勢部材
１４１…第４駆動ローラ、１４５…第４従動ローラ
Ｆ４…第４付勢力、１４８、１４９…第４付勢部材
３１…第１筐体、Ｘ３１…開閉軸心、３２…第２筐体
３１Ｇ…第１筐体の第２筐体と対向する対向面（上側案内面）
３２Ｇ…第２筐体の第１筐体と対向する対向面（下側案内面）
【図１】
2015048161.tif 000003
【図２】
2015048161.tif 000004
【図３】
2015048161.tif 000005
【図４】
2015048161.tif 000006
【図５】
2015048161.tif 000007
【図６】
2015048161.tif 000008
【図７】
2015048161.tif 000009
【図８】
2015048161.tif 000010
【図９】
2015048161.tif 000011
【図１０】
2015048161.tif 000012